(57)【要約】  視野角調整方法、装置、記憶媒体及電子機器であって、この方法は、端末が、端末のセンサにより端末の位置が第１の位置から第２の位置に変化したことを検出し、なお、端末が第１の位置に位置する場合、端末は第１の視野角で仮想シーンにおける第１の画面を表示し、第１の画面にオブジェクト照準マークが表示され（Ｓ２０２）、第１の位置、第２の位置及び第１の視野角に基づいて第２の視野角を決定し、第１の視野角から第２の視野角への第１の変化量は第１の位置から第２の位置への第２の変化量に対応し（Ｓ２０４）、端末が第２の位置に位置する場合に、端末は第２の視野角で仮想シーンにおける第２の画面を表示し、なお、第２の画面にもオブジェクト照準マークが表示される（Ｓ２０６）、ことを含む。視野角調整プロセスにおいて存在する視野角調整の操作複雑さが比較的に高い技術問題を解決する。
2021511585.tif 000002
【特許請求の範囲】
【請求項１】
端末による視野角調整方法であって、前記端末は、検出ユニットと、表示ユニットと、決定ユニットとを含み、前記方法は、
前記検出ユニットにより、前記端末の位置が第１の位置から第２の位置に変化したことを検出するステップと、
前記表示ユニットにより、前記端末が前記第１の位置に位置する場合に、第１の視野角で仮想シーンにおける第１の画面を表示し、前記第１の画面にオブジェクト照準マークを表示するステップと、
前記決定ユニットにより、前記第１の位置、前記第２の位置及び前記第１の視野角に基づいて、第２の視野角を決定するステップであって、前記第１の視野角から前記第２の視野角への第１の変化量は前記第１の位置から前記第２の位置への第２の変化量に対応する、ステップと、
前記表示ユニットにより、前記端末が前記第２の位置に位置する場合に、前記第２の視野角で前記仮想シーンにおける第２の画面を表示し、前記第２の画面にも前記オブジェクト照準マークを表示するステップと、を含む方法。
【請求項２】
前記表示ユニットにより、前記端末が前記第２の位置に位置する場合に、前記第２の視野角で前記仮想シーンにおける第２の画面を表示した後に、前記方法は、さらに、
前記検出ユニットにより、前記第２の画面における前記オブジェクト照準マークの表示位置が前記仮想シーンにおける照準オブジェクトの表示位置に重なる場合に、前記照準オブジェクトに対して操作を実行する操作命令を取得するステップ、を含む請求項１に記載の方法。
【請求項３】
前記検出ユニットにより、前記端末の位置が第１の位置から第２の位置に変化したことを検出する前記ステップは、さらに、
前記端末上の制御領域に対して制御操作を実行することで生成される制御命令であって、前記仮想シーンにおけるターゲットオブジェクトを制御して動作を実行させるための制御命令を取得するステップと、
前記制御命令に応答して、前記ターゲットオブジェクトが移動動作を実行するように制御するステップ、及び／又は、前記ターゲットオブジェクトが表示の照準オブジェクトに対して動作を実行するように制御するステップ、
を含む、請求項１に記載の方法。
【請求項４】
前記決定ユニットにより、前記第１の位置、前記第２の位置及び前記第１の視野角に基づいて、第２の視野角を決定する前記ステップは、
前記第１の位置から前記第２の位置への前記第１の変化量を取得するステップと、
前記第１の変化量に基づいて前記第２の変化量を取得するステップと、
前記第１の視野角が前記第２の変化量に従って前記第２の視野角に変化するように制御するステップと、を含む、請求項１に記載の方法。
【請求項５】
前記第１の変化量に基づいて前記第２の変化量を取得する前記ステップは、
視野角調整感度を取得ステップと、
前記第１の変化量、及び前記視野角調整感度に基づいて、前記第２の変化量を決定するステップと、を含む、請求項４に記載の方法。
【請求項６】
視野角調整感度を取得する前記ステップは、
前記端末上の領域に対して押圧操作を実行することで生成される押圧命令を検出するステップと、
前記押圧命令が検出された場合に、前記視野角調整感度を第１の感度として決定するステップと、
前記押圧命令が検出されなかった場合に、前記視野角調整感度を第２の感度として決定するステップと、
を含み、前記第１の感度は前記第２の感度よりも小さい、請求項５に記載の方法。
【請求項７】
視野角調整感度を取得する前記ステップは、
前記端末の表示モードを取得するステップと、
前記表示モードがパノラマモードである場合、前記視野角調整感度を第３の感度として決定するステップと、
前記表示モードがローカルモードである場合に、前記視野角調整感度を第４の感度として決定するステップと、
を含み、前記第３の感度は前記第４の感度と異なる、請求項５に記載の方法。
【請求項８】
前記第１の視野角が前記第２の変化量に従って前記第２の視野角に変化するように制御する前記ステップは、
前記第１の変化量と前記視野角調整感度との積を取得するステップと、
前記積の大きさが所定の閾値よりも大きい場合に、前記第１の視野角が前記第２の変化量に従って前記第２の視野角に変化するように制御するステップと、
を含む、請求項５に記載の方法。
【請求項９】
視野角調整装置であって、端末に適用され、
前記視野角調整装置は、検出ユニットと、決定ユニットと、表示ユニットとを含み、
前記検出ユニットは、前記端末のセンサにより前記端末の位置が第１の位置から第２の位置に変化したことを検出し、前記端末が前記第１の位置に位置する場合に、前記端末は第１の視野角で仮想シーンにおける第１の画面を表示し、前記第１の画面にオブジェクト照準マークが表示され、
前記決定ユニットは、前記第１の位置、前記第２の位置及び前記第１の視野角に基づいて第２の視野角を決定するように設置されており、前記第１の視野角から前記第２の視野角への第１の変化量は前記第１の位置から前記第２の位置への第２の変化量に対応し、
前記表示ユニットは、前記端末が前記第２の位置に位置する場合に、前記端末が前記第２の視野角で前記仮想シーンにおける第２の画面を表示するようにし、前記第２の画面にも前記オブジェクト照準マークが表示される、装置。
【請求項１０】
前記装置は、
前記端末が前記第２の位置に位置する場合に、前記第２の視野角で前記仮想シーンにおける第２の画面を表示した後、前記第２の画面における前記オブジェクト照準マークの表示位置が前記仮想シーンにおける照準オブジェクトの表示位置に重なる場合に、前記照準オブジェクトに対して操作を実行する操作命令を取得する取得ユニットをさらに含む請求項９に記載の装置。
【請求項１１】
前記検出ユニットは、第１の取得モジュールと第１の制御モジュールとを含み、
前記第１の取得モジュールは、前記端末上の制御領域に対して制御操作を実行することで生成される制御命令であって、前記仮想シーンにおけるターゲットオブジェクトを制御して動作を実行させるための制御命令を取得し、
前記第１の制御モジュールは、前記制御命令に応答して、前記ターゲットオブジェクトが移動動作を実行するように制御する、及び／又は、前記ターゲットオブジェクトが表示の照準オブジェクトに対して動作を実行するように制御する、請求項９に記載の装置。
【請求項１２】
前記決定ユニットは、
前記第１の位置から前記第２の位置に変化する前記第１の変化量を取得する第２の取得モジュールと、
前記第１の変化量に基づいて前記第２の変化量を取得する第３の取得モジュールと、
前記第１の視野角が前記第２の変化量に従って前記第２の視野角に変化するように制御する第２の制御モジュールと、
を含む、請求項９に記載の装置。
【請求項１３】
前記第３の取得モジュールは、
視野角調整感度を取得する第１の取得サブモジュールと、
前記第１の変化量、及び前記視野角調整感度に基づいて、前記第２の変化量を決定する第１の決定サブモジュールと、
を含む、請求項１２に記載の装置。
【請求項１４】
前記第１の取得サブモジュールは、
前記端末上の領域に対して押圧操作を実行することで生成される押圧命令を検出し、
前記押圧命令が検出された場合に、前記視野角調整感度を第１の感度として決定し、
前記押圧命令が検出されなかった場合に、前記視野角調整感度を第２の感度として決定することにより、視野角調整感度を取得し、
前記第１の感度は前記第２の感度よりも小さい、請求項１３に記載の装置。
【請求項１５】
前記第１の取得サブモジュールは、
前記端末の表示モードを取得し、
前記表示モードがパノラマモードである場合に、前記視野角調整感度を第３の感度として決定し、
前記表示モードがローカルモードである場合に、前記視野角調整感度を第４の感度として決定することにより、視野角調整感度を取得し、
前記第３の感度は前記第４の感度と異なる、請求項１３に記載の装置。
【請求項１６】
前記第２の制御モジュールは、
前記第１の変化量と前記視野角調整感度との積を取得する第３の取得サブモジュールと、
前記積の大きさが所定の閾値よりも大きい場合に、前記第１の視野角が前記第２の変化量に従って前記第２の視野角に変化するように制御する制御サブモジュールと、
を含む、請求項１３に記載の装置。
【請求項１７】
コンピュータに請求項１〜８のいずれか一項に記載の方法を実行させるコンピュータープログラム。
【発明の詳細な説明】
【技術分野】
【０００１】
本出願は、２０１８年１月１９日に中国専利局に提出した、優先権番号が２０１８１００５４９３９４であって、発明の名称が「視野角調整方法と装置、記憶媒体、及び電子機器である中国特許出願の優先権を主張し、本出願で、その全ての内容を援用するものとする。
【０００２】
本出願は、コンピューター分野に関し、具体的に、視野角調整方法と装置、記憶媒体、及び電子機器に関する。
【背景技術】
【０００３】
現在、相関する携帯端末がサポートする端末アプリケーションでは、一般的に、ユーザーがタッチパネルでスクリーンスライド操作を実行した後に得られたスクリーンタッチ位置に応じて、携帯端末に表示される視野角を調整する。例えば、上記スクリーンタッチ位置がスクリーンスライド操作前の初期位置に対して変化するスクリーンスライド距離を検出し、上記スクリーンスライド距離に応じて表示する視野角を調整するように携帯端末を制御することにより、調整された視野角での仮想シーンにおける画面を表示することを実現することが可能となる。
【０００４】
端末アプリケーションの実行過程では、端末アプリケーションにおける予め設定されたタスクを完成するために左手と右手は協力する必要があり、上記スクリーンスライド操作を実行する場合、現在実行中のタスクを一時停止して、スクリーンスライド操作を独立して実行する必要がある。つまり、表示される視野角を調整する過程で、別途のスクリーンスライド操作を独立して行う必要があり、視野角調整の操作の複雑さが比較的に高くなるという問題がある。
【０００５】
上記の問題に対して、現在有効な解決策が提供されていない。
【発明の概要】
【０００６】
本出願の実施例は、少なくとも、関連技術で提供される視野角調整過程に存在する視野角調整の操作の複雑さが比較的に高い問題を解決するために、視野角調整方法と装置、記憶媒体及び電子機器を提供する。
【０００７】
本出願の実施例の一局面によれば、視野角調整方法を提供し、端末は上記端末のセンサにより上記端末の位置が第１の位置から第２の位置に変化したことを検出し、上記端末が上記第１の位置に位置する場合に、上記端末は第１の視野角で仮想シーンにおける第１の画面を表示し、上記第１の画面にオブジェクト照準マークが表示され、上記端末は、上記第１の位置、上記第２の位置及び上記第１の視野角に基づいて、第２の視野角を決定し、上記第１の視野角から上記第２の視野角への第１の変化量は上記第１の位置から上記第２の位置への第２の変化量に対応し、上記端末が上記第２の位置に位置する場合に、上記端末は上記第２の視野角で上記仮想シーンにおける第２の画面を表示し、上記第２の画面にも上記オブジェクト照準マークが表示される。
【０００８】
本出願の実施例の他の局面によれば、さらに、視野角調整装置を提供し、端末に適用され、上記視野角調整装置は検出ユニットと、決定ユニットと、表示ユニットとを含み、上記検出ユニットは、端末のセンサにより上記端末の位置が第１の位置から第２の位置に変化したことを検出するように設置されており、上記端末が上記第１の位置に位置する場合に、上記端末は第１の視野角で仮想シーンにおける第１の画面を表示し、上記第１の画面にオブジェクト照準マークが表示され、上記決定ユニットは、上記第１の位置、上記第２の位置及び上記第１の視野角に基づいて第２の視野角を決定するように設置されており、上記第１の視野角から上記第２の視野角への第１の変化量は上記第１の位置から上記第２の位置への第２の変化量に対応し、上記表示ユニットは、上記端末が上記第２の位置に位置する場合に、上記第２の視野角で上記仮想シーンにおける第２の画面を表示するように設置され、上記第２の画面にも上記オブジェクト照準マークが表示される。
【０００９】
本出願の実施例のさらなる局面によれば、さらに、記憶媒体を提供し、上記記憶媒体は記憶されたプログラムを含み、上記プログラムは実行される場合に、上記視野角調整方法を実行する。
【００１０】
本出願の実施例のさらなる局面によれば、さらに、電子機器を提供し、メモリ、プロセッサー、及びメモリに記憶されプロセッサーで実行されるコンピュータープログラムとを含み、上記プロセッサーは上記コンピュータープログラムにより上記の視野角調整方法を実行する。
【００１１】
本出願の実施例では、端末のセンサにより端末の位置が第１の位置から第２の位置に変化したことを検出し、端末が第１の位置に位置する場合、端末は第１の視野角で仮想シーンにおける第１の画面を表示し、端末は第１の位置、第２の位置及び第１の視野角に基づいて第２の視野角を決定し、第２の視野角で仮想シーンにおける第２の画面を表示し、これにより、端末は、端末位置の変化に応じて、表示の視野角での仮想シーンにおける画面を調整し、左手と右手でスクリーンスライド操作を実行することで端末の表示視野角を制御し調整する必要がないので、端末視野角調整の操作を簡略化する目的を達成し、関連技術で提供される視野角調整過程に存在する視野角調整の操作の複雑さが比較的に高い問題を解決する。
【図面の簡単な説明】
【００１２】
ここで説明する図面は、本出願をよりよく理解させるためのもので、本出願の一部を構成し、本出願に示す実施例及びその説明は本出願を解釈するためのもので、本出願を限定するものではない。
【図１】本出願の一実施例による、視野角調整方法の適用環境の模式図である。
【図２】本出願の一実施例による、視野角調整方法のフローチャート模式図である。
【図３】本出願の一実施例による、視野角調整方法の模式図である。
【図４】本出願の他の実施例による、視野角調整方法の模式図である。
【図５】本出願のさらなる他の実施例による、視野角調整方法の模式図である。
【図６】本出願のさらなる他の実施例による、視野角調整方法の模式図である。
【図７】本出願のさらなる他の実施例による、視野角調整方法の模式図である。
【図８】本出願のさらなる他の実施例による、視野角調整方法の模式図である。
【図９】本出願のさらなる他の実施例による、視野角調整方法の模式図である。
【図１０】本出願のさらなる他の実施例による、視野角調整方法の模式図である。
【図１１】本出願のさらなる他の実施例による、視野角調整方法の模式図である。
【図１２】本出願のさらなる他の実施例による、視野角調整方法の模式図である。
【図１３】本出願の一実施例による、視野角調整装置の模式図である。
【図１４】本出願の一実施例による、電子機器の模式図である。
【発明を実施するための形態】
【００１３】
当業者に本出願の技術案をよりよく理解させるために、以下、本出願の実施例における図面を結合して、本出願の実施例の技術案を明確且つ完全に記述するが、ここで記述される実施例が本出願の実施例の全部ではなく一部であることは言うまでもない。本出願における実施例に基づいて、当業者が創造的な労力をせずに得られる全ての他の実施例は、本出願の保護する範囲に属すべきである。
【００１４】
なお、本出願の明細書、特許請求の範囲及び図面に用いられる「第１」、「第２」等の用語は類似する対象を区別するためのもので、特定の順又は前後順を限定するものではない。ここで説明する本出願の実施例を図面に示す又は説明する順と異なる順でも実現できるように、このように使用される数値は適切な状況において交換可能である。そして、「含む」、「有する」及びそれらの変形用語は、非排他的に含むことをカバーするもので、例えば、一連のステップ又はユニットを含むプロセス、方法、システム、製品又はデバイスが明確に例示されたステップ又はユニットに限定されず、明確に例示されていない又はこれらのプロセス、方法、製品又はデバイス固有の他のステップ又はユニットも含むことを表す。
【００１５】
本出願の実施例の一局面によれば、視野角調整方法を提供し、任意選択で、この方法は、図１に示す適用環境に適用可能であるが、それに限定されない。端末１０２は、端末１０２上のセンサーにより、端末の位置が第１の位置から第２の位置に変化したことを検出し、なお、端末１０２が第１の位置に位置する場合に、端末１０２は、第１の視野角で仮想シーンにおける第１の画面を表示し、第１の画面にオブジェクト照準マークが表示され、端末１０２は、第１の位置、第２の位置及び第１の視野角に応じて第２の視野角を決定し、端末１０２が第２の位置に位置する場合に、端末１０２は第２の視野角で仮想シーンにおける第２の画面を表示し、なお、第２の画面にもオブジェクト照準マークが表示される。
【００１６】
上記の視野角調整方法によれば、端末は、端末上のセンサにより端末の位置変化を検出した後、変化前後の位置と、変化前の第１の視野角とに基づいて変化後の第２の視野角を決定するとともに、第２の視野角に応じて第２の画面を表示することにより、端末位置の変化に応じて視野角を調整し、さらに表示画面を調整する目的を達成する。同時に、左手と右手でスクリーンスライド操作を実行することで端末の表示視野角を制御して調整する必要がないので、端末視野角調整の操作を簡略化し、関連技術で提供された視野角調整過程に存在する視野角調整の操作の複雑さが比較的に高い問題を解決する。
【００１７】
任意選択で、本実施例では、選択的な実施形態として、図２に示すように、上記の視野角調整方法は、以下のステップを含むことができる。
【００１８】
Ｓ２０２において、端末は、端末のセンサにより端末の位置が第１の位置から第２の位置に変化したことを検出し、なお、端末が第１の位置に位置する場合、端末は、第１の視野角で仮想シーンにおける第１の画面を表示し、第１の画面にオブジェクト照準マークが表示される。
【００１９】
Ｓ２０４において、端末は、第１の位置、第２の位置及び第１の視野角に応じて第２の視野角を決定し、なお、第１の視野角から第２の視野角への第１の変化量は、第１の位置から第２の位置への第２の変化量に対応する。
【００２０】
Ｓ２０６において、端末が第２の位置に位置する場合に、端末は、第２の視野角で仮想シーンにおける第２の画面を表示し、なお、第２の画面にもオブジェクト照準マークが表示される。
【００２１】
任意選択で、本実施例では、上記の視野角調整方法は、モバイル端末で制御されるターゲットオブジェクトを決定するための適用シーンに適用できるが、それに限定されない。例えば、上記の適用シーンは、ゲームアプリケーションに適用されて、ゲーム過程で対話するターゲットオブジェクトを決定することや、ショッピングアプリケーションに適用されて、ショッピング過程で選択されたターゲットオブジェクトを決定することを含み得るが、それに限定されない。例えば、上記の視野角調整方法がゲームアプリケーションに適用される場合、端末位置の変化を調整することで、ゲームアプリケーションにおけるゲーム視野角を調整し、さらに、ゲーム視野角の変化によってゲームシーンで表示される画面を変更して、ゲームで対話するターゲットオブジェクトを決定してもよいし、又は、ショッピングアプリケーションに適用される場合、端末位置の変化を調整することで、ショッピング視野角で表示される画面を調整して、購入するターゲットオブジェクトを決定してもよいが、それに限定されない。例えば、図３に示すように、仮想ショッピングシーンに複数の商品が表示されてもよく、図３に、商品１、商品２、商品３を含むことを示している。端末が現在第１の視野角での第１の画面を表示すると仮定すると、当該端末の位置が第１の位置から第２の位置に変化したことが検出されると、第１の位置、第２の位置及び第１の視野角によって、第２の視野角を決定でき、第２の視野角によって仮想ショッピングシーンの第２の画面を表示し、これにより、端末位置の変化を制御することで、端末で表示される視野角での画面を直接調整する目的を達成し、視野角調整操作を簡略化する効果を実現する。
【００２２】
任意選択で、本実施例では、端末におけるセンサによって検出される端末位置の変化は、水平位置の変化、垂直位置の変化、又は水平位置と垂直位置の変化の組み合わせであってもよい。
【００２３】
任意選択で、本実施例では、端末が第２の位置に位置する場合に、端末は第２の視野角で仮想シーンにおける第２の画面を表示した後に、さらに、端末が、第２の画面におけるオブジェクト照準マークの表示位置が仮想シーンにおける照準オブジェクトの表示位置に重なる場合に、照準オブジェクトに対して操作を実行する操作命令を取得することを含む。
【００２４】
例えば、シューティングゲームアプリケーションを例にとって、オブジェクト照準マークは照準照星であってもよく、照準オブジェクトは標的であってもよく、操作命令はシューティング命令であってもよい。図４に示すように、照準オブジェクト（黒丸で示される標的）と、オブジェクト照準マーク（点線の円内の十字線分に対応する照準照星）が表示されている。端末におけるセンサにより端末位置が変化したことを検出した後に、それに応じて端末で表示される視野角も変化し、図４に示すように、変化後の視野角で表示される仮想シーンの画面において、視野角の固定位置に位置する照準照星と標的との相対位置もそれに応じて変化し、変化後の照準照星が標的と重なると、シューティング命令を取得し、標的に対してシューティング動作を実行することを完成させる。
【００２５】
任意選択で、本実施例では、端末が第２の位置に位置する場合に、第２の視野角で仮想シーンにおける第２の画面を表示した後に、さらに、第２の画面におけるオブジェクト照準マークの表示位置が仮想シーンにおける照準オブジェクトの表示位置に重なる場合に、端末が照準マークのスタイルを変更することを含む。例えば、図４に示すようである。図４に、４つの線分を組み合わせてなる一つの照準マークと一つの照準オブジェクトが示され、照準マークはターゲットオブジェクトに重ならない。図５に示すように、図５に示す照準マークは照準オブジェクトに重なるので、端末は照準マークのスタイルを変更し、４つの線分からなる照準マークは、４つの線分と一つの原点とを組み合わせてなる照準マークに変更される。
【００２６】
任意選択で、本実施例では、端末が照準マークのスタイルを変更することは、照準マークの色や、形状、サイズを変更し得るがそれらに限定されず、本実施例では、具体的に限定しない。
【００２７】
任意選択で、端末のセンサにより端末の位置が第１の位置から第２の位置に変化することを検出する前に、さらに、端末がロック命令を受信することを含み、ロック命令は端末の現在の位置が表示する視野角をロックするために用いられる。例えば、当該ロック命令を受信すると、端末は、端末の現在の位置に表示される視野角をロックする。この場合、端末の位置が変更された後、端末の現在の位置に表示される視野角は変化しない。例えば、上記の視野角調整方法がゲーム分野に適用されることを例にとって、ユーザーが手で端末を持ってゲームを行う過程で、長時間のゲーム、又は他の原因の影響によって、現在の姿勢又は位置を変更する必要がある。しかし、ユーザーは、現在の端末の位置変化がゲームアプリケーションの視野角に影響を与えることを望まない。従って、端末がロック命令を受信すると、ユーザーが、ゲームアプリケーションとは無関係の移動をしている可能性があることを意味し、この場合、端末上のセンサは端末の位置変化を検出しない。ロックを解除する命令を受信すると、端末上のセンサはロックを解除する命令時刻から、端末は、端末の位置変化を検出し続ける。
【００２８】
任意選択で、本実施例で、端末は、第１の位置、第２の位置及び第１の視野角に応じて第２の視野角を決定することは、端末が第１の位置から第２の位置への第１の変化量を取得することと、端末が第１の変化量に応じて第２の変化量を取得することと、端末が第１の視野角が第２の変化量に従って第２の視野角に変化するように制御することとを含むことができる。
【００２９】
なお、本実施例では、上記の第１の変化量は、端末位置の変化方向、変化速度、変化距離を含み得るが、それに限定されない。
【００３０】
さらに、上記の第１の変化量が変化方向を含む場合に、端末が第１の位置、第２の位置及び第１の視野角に応じて第２の視野角を決定するプロセスで、さらに、端末が、第１の位置に対する第２の位置の移動方向に応じて、第１の視野角に対する第２の視野角の移動方向を決定することを含むことができる。
【００３１】
例えば、図６に示す位置６０２は端末の第１の位置であり、位置６０４は端末の第２の位置である。端末が位置６０２から位置６０４に移動すると仮定すると、位置６０４は位置６０２よりも右上方向に位置する。図７は、端末で位置６０２に表示される第１の視野角での第１の画面であり、図８は、端末で位置６０４に表示される第２の視野角での第２の画面である。つまり、端末位置が右上方向に移動された後、端末で表示される視野角は第１の視野角から第２の視野角に調整され、対応して表示される仮想シーンにおける画面は図７に示す第１の画面から図８に示す第２の画面に調整される。
【００３２】
また、上記の第１の変化量が変化速度を含む場合に、端末が、第１の位置、第２の位置及び第１の視野角に応じて第２の視野角を決定するプロセスで、さらに、端末が、第１の位置から第２の位置への端末の変化速度に応じて、第１の視野角から第２の視野角に変化する変化速度を決定することを含むことができる。
【００３３】
例えば、端末上のセンサにより、端末の位置が第１の位置から第２の位置に変化したことが検出されると、端末は第１の位置から第２の位置への端末の変化速度を取得し、取得した変化速度に応じて、端末の第１の視野角が第２の視野角に変化するように制御する。第１の位置から第２の位置への端末の変化速度が早いと、端末の第１の視野角から第２の視野角に変化する速度が早く、第１の位置から第２の位置への端末の変化速度が遅いと、端末の第１の視野角から第２の視野角に変化する速度が遅い。
【００３４】
本出願の実施例によれば、端末のセンサにより端末の位置が第１の位置から第２の位置に変化することを検出し、なお、端末が第１の位置に位置する場合、端末は第１の視野角で仮想シーンにおける第１の画面を表示し、第１の位置、第２の位置及び第１の視野角に基づいて第２の視野角を決定し、決定した第２の視野角に応じて、仮想シーンにおける第２の画面を表示することにより、端末位置の変化に応じて表示の視野角での仮想シーンにおける画面を調整し、左手と右手でスクリーンスライド操作を実行することで端末の表示視野角を制御して調整する必要がなく、端末視野角調整の操作を簡略化する目的を達成し、ひいては、関連技術で提供される視野角調整過程に存在する視野角調整の操作の複雑さが比較的に高い技術問題を解決する。
【００３５】
選択的な実施案として、端末が第２の位置に位置する場合に、端末が第２の視野角で仮想シーンにおける第２の画面を表示した後に、Ｓ１をさらに含む。
【００３６】
Ｓ１において、第２の画面におけるオブジェクト照準マークの表示位置が仮想シーンにおける照準オブジェクトの表示位置に重なる場合に、端末は、照準オブジェクトに対して操作を実行する操作命令を取得する。
【００３７】
任意選択で、上記の操作命令は、照準オブジェクトと対話操作を行うことであり得るが、それに限定されず、照準オブジェクトの移動、照準オブジェクトへの攻撃、照準オブジェクトの属性のチェック、照準オブジェクトの状態の変更、照準オブジェクトとのコミュニケーション、照準オブジェクトへの進入などを含む。上記は単なる例であり、本実施形態ではそれを限定しない。
【００３８】
任意選択で、照準オブジェクトに対して実行する操作の操作命令を取得することは、音声入力の方法により操作命令を取得することや、スクリーンタッチの方法により操作命令を取得することであり得るが、それに限定されない。
【００３９】
例えば、シューティングゲームアプリケーションを例にとって、上記の照準オブジェクトは標的であってもよく、上記の照準マークは照準照星であってもよい。ゲーム画面における照準照星が照準オブジェクトに重なると、ゲーム画面の右側のＡボタン又はＢボタンを押すことで標的への攻撃操作を実行してもよいし、又は、ゲーム画面における照準照星が照準オブジェクトに重なると、音声入力情報を取得することで標的への攻撃操作を実行してもよい。例えば、音声入力情報が「攻撃」であると、音声入力情報に応じて攻撃操作を実行してもよい。
【００４０】
本実施例で、上記のボタンにより攻撃操作を実行するか、音声入力情報を取得することで攻撃操作を実行する方式は、何れも攻撃操作の選択的な例であり、本実施例では、攻撃操作の実行方式を具体的に限定しない。
【００４１】
なお、ゲームアプリケーションでは、上記の照準オブジェクトは、敵オブジェクトだけでなく、チームメートであってもよく、上記の照準マークがチームメートに重なると、右側のＡボタン又はＢボタンを押すことでチームメートと対話してもよく、例えば、インスタント通信情報を交換する。また、ショッピングアプリケーションでは、上記の照準オブジェクトは仮想商品であってもよく、上記の照準マークは選択ボックスであってもよく、選択ボックスが仮想商品に重なると、右側のＡボタン又はＢボタンを押すことで仮想商品の選択、購入などの操作を行ってもよい。
【００４２】
本実施例では、上記の照準オブジェクトは、仮想シーンにおいてインタラクティブを実現する必要がある任意のオブジェクトであってもよく、上記は選択的な例であり、本実施例では、照準オブジェクトを具体的に限定しない。
【００４３】
本出願の実施例によれば、第２の画面におけるオブジェクト照準マークの表示位置が仮想シーンにおける照準オブジェクトの表示位置に重なる場合に、端末は、照準オブジェクトに対して操作を実行する操作命令を取得することにより、取得した操作命令に従って照準オブジェクトに対して操作を実行し、視野角調整プロセスにおいて照準オブジェクトに対して操作を実行する操作ステップを簡略化し、手作業で繰り返し調整する必要がなく、視野角調整プロセスにおいてオブジェクトに対して操作を実行する操作効率を向上させる効果を実現する。
【００４４】
選択的な実施案として、端末が、端末のセンサにより端末の位置が第１の位置から第２の位置に変化したことを検出するプロセスで、Ｓ１、Ｓ２をさらに含む。
【００４５】
Ｓ１において、端末は、端末上の制御領域に対して制御操作を実行することで生成された制御命令を取得し、なお、制御命令は、仮想シーンにおけるターゲットオブジェクトが動作を実行するように制御するために用いられる。
【００４６】
Ｓ２において、端末は、制御命令に応答して、ターゲットオブジェクトが移動動作を実行するように制御する及び／又は、ターゲットオブジェクトが表示の照準オブジェクトに対して動作を実行するように制御する。
【００４７】
例えば、レーシングゲームアプリケーションを例にとって、上記のターゲットオブジェクトはゲームキャラクターオブジェクトであってもよく、上記の制御命令は移動命令であってもよく、タッチパネルにより「前へ走る」という移動命令を取得した後、端末は、上記の「前へ走る」という移動命令に応答して、ゲームキャラクターオブジェクトが前へ走るように制御することができる。
【００４８】
任意選択で、上記のターゲットオブジェクトは、端末アプリケーションにおいて制御される任意のオブジェクトであってもよく、例えば、仮想キャラクター又は仮想物品を含み、上記の制御命令は、ターゲットオブジェクトが移動、攻撃、選択、設備交換、救助、拾い上げ、破棄などをするように制御するが、それに限定されない。例えば、上記のターゲットオブジェクトが仮想キャラクターであり、上記の制御命令が前へ移動することであると、仮想キャラクターが前へ移動するように制御する。なお、仮想キャラクターは、人物、動物などであってもよく、ここで具体的に限定しない。
【００４９】
本出願の実施例によれば、端末のセンサにより端末の位置が第１の位置から第２の位置に変化することを検出するプロセスにおいて、端末は、端末上の制御領域に対して制御操作を実行することで生成された制御命令を取得し、端末は、制御命令に応答して、ターゲットオブジェクトが動作を実行するように制御し、視野角調整プロセスにおいてターゲットオブジェクトが動作を実行するように制御するステップを簡略化し、ターゲットオブジェクトの制御効率を向上させる。
【００５０】
選択的な実施案として、端末は、第１の位置、第２の位置及び第１の視野角に基づいて第２の視野角を決定することは、Ｓ１、Ｓ２、Ｓ３を含む。
【００５１】
Ｓ１において、端末は、第１の位置から第２の位置への第１の変化量を取得する。
【００５２】
Ｓ２において、端末は、第１の変化量に基づいて第２の変化量を取得する。
【００５３】
Ｓ３において、端末は、第１の視野角が第２の変化量に従って第２の視野角に変化するように制御する。
【００５４】
任意選択で、上記の第１の変化量は、変化方向、変化速度、変化距離等を含むが、それに限定されない。
【００５５】
例えば、図１０に示すように、端末の初期位置を原点として３次元座標系を確立し、なお、端末平面が位置する平面が３次元座標系のＸ軸及びＹ軸であり、 端末平面に垂直で、スクリーンの外側を向く方向が３次元座標系のＺ軸である。端末が第１の位置１００２から第２の位置１００４に変化した後、それに応じて、３次元座標系において、位置が原点ＯからＡ点に移動する。端末は、端末が変化する変化方向、変化速度、変化距離を取得し、取得した変化方向、変化速度、変化距離に応じて第１の視野角から第２の視野角への変化方向、変化速度、変化距離を得る。第１の視野角から第２の視野角への変化方向、変化速度、変化距離に応じて、端末が第１の視野角から第２の視野角に変化するように制御する。
【００５６】
本出願の実施例によれば、端末は、第１の位置から第２の位置への端末の第１の変化量に基づいて第２の変化量を得て、第２の変化量に応じて、端末が第１の視野角から第２の視野角に変化するように制御することにより、端末の位置変化に応じて表示の視野角での仮想シーンにおける画面を調整する目的を実現する。
【００５７】
選択的な実施案として、端末は第１の変化量に基づいて第２の変化量を取得することは、Ｓ１、Ｓ２を含む。
【００５８】
Ｓ１において、端末は、視野角調整感度を取得する。
【００５９】
Ｓ２において、端末は、第１の変化量、及び視野角調整感度に基づいて、第２の変化量を決定する。
【００６０】
任意選択で、感度を受信し、端末は、受信した感度に基づいて視野角調整感度を設置してもよいが、それに限定されない。任意選択で、上記の感度は、ユーザーによって入力されるか、システムによって自動的に生成されてもよく、本実施例では、それを限定しない。
【００６１】
例えば、受信した感度をベクトルａとすると、第１の変化量はベクトルｂであり、ベクトルａにベクトルｂを乗算することで第２の変化量を取得してもよい。
【００６２】
任意選択で、上記した第１の変化量に感度を乗算することで第２の変化量を取得する方式は単なる例であり、具体的な算出方法については、本実施例で限定しない。
【００６３】
本出願の実施例によれば、端末は、視野角調整感度を取得し、視野角調整感度と第１の変化量とに基づいて第２の変化量を決定することにより、視野角を調整するプロセスにおいて視野角調整感度に応じて視野角を調整し、視野角を調整する自由度を向上させ、端末の視野角を柔軟に調整する目的を達成する。
【００６４】
選択的な実施案として、端末が視野角調整感度を取得することは、Ｓ１、Ｓ２、Ｓ３を含む。
【００６５】
Ｓ１において、端末は、端末上の領域に対して押圧操作を実行することで生成された押圧命令を検出する。
【００６６】
Ｓ２において、押圧命令が検出された場合に、端末は、視野角調整感度を第１の感度として決定する。
【００６７】
Ｓ３において、押圧命令が検出されなかった場合に、端末は、視野角調整感度を第２の感度として決定する。
なお、第１の感度は第２の感度よりも小さい。
【００６８】
任意選択で、上記した押圧操作を実行する領域は非制御領域であってもよい。なお、当該非制御領域は上記の制御ボタン以外の領域であってもよいが、それに限定されない。
【００６９】
例えば、ゲームアプリケーションを例にとって、図１１に選択的なゲームシーンを示している。なお、オブジェクト照準マークはスクリーンの中央位置にある。図１１に示すＡボタンは制御領域である。制御領域の押圧が検出されると、ゲームにおける人物を制御してシューティングさせる。なお、端末は、端末上のＡボタン以外の領域に対する押圧命令が検出されると、視野角調整感度を第１の感度として設置し、端末上のＡボタン以外の領域に対する押圧命令が検出されないと、端末は、視野角調整感度を第２の感度として決定し、第１の感度は第２の感度よりも小さい。
【００７０】
本出願の実施例によれば、端末は、端末上の領域に対して押圧操作を実行することで生成される押圧命令が検出されたかどうかを判断し、視野角調整感度を決定し、視野角調整感度に基づいて第２の変化量を決定することにより、視野角を調整するプロセスにおいて異なる調整感度に応じて視野角を調整し、視野角を調整する調整方式を増加させ、視野角を調整する正確性を向上させる。
【００７１】
選択的な実施案として、端末は、視野角調整感度を取得することはＳ１、Ｓ２、Ｓ３を含む。
【００７２】
Ｓ１において、端末は、端末の表示モードを取得する。
【００７３】
Ｓ２において、表示モードがパノラマモードである場合に、端末は視野角調整感度を第３の感度として決定する。
【００７４】
Ｓ３において、表示モードがローカルモードである場合に、端末は視野角調整感度を第４の感度として決定する。
なお、第３の感度は第４の感度と異なる。
【００７５】
例えば、シューティングゲームアプリケーションを例にとって、図１２にシューティングゲームシーンを示している。図１２に示すように、左側Ｂボタンはゲームキャラクターの移動を制御するために用いられ、右側Ａボタンはゲームキャラクターの攻撃を制御するために用いられる。右側Ａボタンの下のＣボタンは端末の表示モードを切り替えるために用いられる。Ｃボタンを押すと、端末上の表示モードはパノラマモードからローカルモードに切り替えられ、この場合、Ｃボタンの外観の色が変わり、図１２にハッチングで示す。再びＣボタンを押すと、端末上のローカルモードを解除し、図１１に示すオブジェクト照準マークに戻る。Ｃボタンの色はパノラマモードの色に戻る。なお、Ｃボタンを押すローカルモードと、ローカルモードを解除するパノラマモードとは、異なる視野角調整感度に対応する。
【００７６】
なお、上記のパノラマモードは、シューティングゲームにおける通常の照準であり得るがそれに限定されず、上記のローカルモードは、シューティングゲームにおけるオープニング照準であり得るがそれに限定されず、なお、ローカルモードにおいて、照準マークに重なる部分の照準オブジェクトは拡大表示される。上記は単なる例であり、本実施例では、それを限定しない。
【００７７】
本出願の実施例によれば、端末は、端末の表示モードに応じて、異なる視野角調整感度を設置し、異なる視野角調整感度に基づいて第２の変化量を決定し、さらに、第２の変化量によって端末の角度を調整することにより、視野角を調整するプロセスにおいて異なる調整感度に応じて視野角を調整し、視野角を調整する調整方式を増加させ、視野角を調整する正確性を向上させる。
【００７８】
選択的な実施案として、端末は、第１の視野角が第２の変化量に従って第２の視野角に変化するように制御することはＳ１、Ｓ２を含む。
【００７９】
Ｓ１において、端末は、第１の変化量と視野角調整感度との積を取得する。
【００８０】
Ｓ２において、積の大きさが所定の閾値よりも大きい場合に、端末は、第１の視野角が第２の変化量に従って第２の視野角に変化するように制御する。
【００８１】
例えば、第１の変化量における距離変化量αを取得し、λは視野角調整感度である。図９に示すように、端末は第１の変化量における距離変化量αを取得した後、第１の変化量における距離変化量αをＸＹ軸に投影し、端末が取得したベクトル投影はＯＡであり、ＯＡとλとの積が所定の閾値よりも大きいと、上記の実施例における方法によって、クライアントの表示インターフェースを調整する。ＯＡとλとの積は、以下の式により得ることができる。
【数１】
2021511585.tif 000003
【００８２】
本出願の実施例によれば、端末移動ベクトルと移動感度との積が所定の閾値よりも大きいかどうかを判断する方法により、端末の位置変化が微小なディザによる位置変化であるかどうかを判断して、端末の微小なディザが端末視野角に与える影響を回避し、端末視野角の調整正確性を向上させる。
【００８３】
なお、前記した各方法実施例において、説明の便宜を図るために、それを一連の動作の組み合せとして説明したが、当業者であれば本出願は記述された動作の順に限定されないことを理解でき、本出願によると、一部のステップを他の順又は同時に実行することもできる。そして、当業者であれば明細書において記述された実施例は全て選択的な実施例であり、係る動作やモジュールが本出願に必ずしも必要なものではないことは理解できる。
【００８４】
上述した実施形態の説明から分かるように、上記実施例の方法をソフトウェアに必要な汎用ハードウェアプラットフォームを結合した方式で実現することができ、もちろんハードウェアのみによって実現することもできるが、多くの場合に前の方法で実施することが好ましい。これに基づいて、本出願の技術案の本質又は関連技術に貢献のある部分をソフトウェア製品の形態で実現することができ、そのコンピューターソフトウェア製品は、記憶媒体（例えば、ＲＯＭ/ＲＡＭ、ディスク、ＣＤ）に記憶され、端末デバイス（携帯電話、コンピューター、サーバ又は、ネットワークデバイス等であり得る）に本出願の各実施例の方法を実現させる命令を含む。
【００８５】
本出願の実施例の他の形態によれば、さらに、上記の視野角調整方法を実施するための視野角調整装置を提供する。上記の装置は端末に適用され得るがそれに限定されない。選択的な例として、図１３に示すように、当該装置は、検出ユニット１３０２と、決定ユニット１３０４と、表示ユニット１３０６とを含む。
【００８６】
（１）検出ユニット１３０２は、端末のセンサにより端末の位置が第１の位置から第２の位置に変化したことを検出するように設置されており、なお、端末が第１の位置に位置する場合、端末は、第１の視野角で仮想シーンにおける第１の画面を表示し、第１の画面にオブジェクト照準マークが表示される。
【００８７】
（２）決定ユニット１３０４は、第１の位置、第２の位置及び第１の視野角に基づいて第２の視野角を決定するように設置されており、なお、第１の視野角から第２の視野角への第１の変化量は、第１の位置から第２の位置への第２の変化量に対応する。
【００８８】
（３）表示ユニット１３０６は、端末が第２の位置に位置する場合に、第２の視野角で仮想シーンにおける第２の画面を表示するように設置されており、なお、第２の画面にもオブジェクト照準マークが表示される。
【００８９】
任意選択で、本実施例では、上記の視野角調整方法は、モバイル端末で制御されるターゲットオブジェクトを決定するための適用シーンに適用され得るが、それに限定されない。例えば、上記の適用シーンは、ゲームアプリケーションに適用されて、ゲーム過程で対話するターゲットオブジェクトを決定することや、ショッピングアプリケーションに適用されて、ショッピング過程で選択されたターゲットオブジェクトを決定することを含み得るが、それに限定されない。例えば、上記の視野角調整方法がゲームアプリケーションに適用される場合、端末位置の変化を調整することで、ゲームアプリケーションにおけるゲーム視野角を調整し、さらに、ゲーム視野角の変化によってゲームシーンで表示される画面を変更して、ゲームで対話するターゲットオブジェクトを決定してもよいし、又は、ショッピングアプリケーションに適用される場合、端末位置の変化を調整することで、ショッピング視野角で表示される画面を調整して、購入するターゲットオブジェクトを決定してもよいが、それに限定されない。例えば、図３に示すように、仮想ショッピングシーンに複数の商品が表示されてもよく、図３に、商品１、商品２、商品３を含むことを示している。端末が現在第１の視野角での第１の画面を表示すると仮定すると、当該端末の位置が第１の位置から第２の位置に変化したことを検出すると、第１の位置、第２の位置及び第１の視野角によって、第２の視野角を決定でき、第２の視野角によって仮想ショッピングシーンの第２の画面を表示し、これにより、端末位置の変化を制御することで、端末で表示される視野角での画面を直接調整する目的を達成し、視野角調整操作を簡略化する効果を実現する。
【００９０】
任意選択で、本実施例では、センサによって検出される端末位置の変化は、水平位置の変化、垂直位置の変化、又は水平位置と垂直位置の変化の組み合わせであってもよい。
【００９１】
任意選択で、本実施例では、端末が第２の位置に位置する場合に、第２の視野角で仮想シーンにおける第２の画面を表示した後に、さらに、第２の画面におけるオブジェクト照準マークの表示位置が仮想シーンにおける照準オブジェクトの表示位置に重なる場合に、照準オブジェクトに対して操作を実行する操作命令を取得することを含む。
【００９２】
例えば、シューティングゲームアプリケーションを例にとって、オブジェクト照準マークは照準照星（照準十字線）であってもよく、照準オブジェクトは標的であってもよく、操作命令はシューティング命令であってもよい。図４に示すように、照準オブジェクト(黒丸で示される標的)と、オブジェクト照準マーク(点線の円内の十字線分に対応する照準照星)が表示されている。センサによって端末位置が変化したことを検出した後に、それに応じて端末で表示される視野角も変化し、図４に示すように、変化後の視野角で表示される仮想シーンの画面において、視野角の固定位置に位置する照準照星と標的との相対位置もそれに応じて変化し、変化後の照準照星が標的と重なると、シューティング命令を取得し、標的に対してシューティング動作を実行することを完成させる。
【００９３】
任意選択で、本実施例では、端末が第２の位置に位置する場合に、第２の視野角で仮想シーンにおける第２の画面を表示した後に、さらに、第２の画面におけるオブジェクト照準マークの表示位置が仮想シーンにおける照準オブジェクトの表示位置に重なる場合に、照準マークのスタイルを変更することを含む。例えば、図４に示すようである。図４に、４つの線分を組み合わせてなる一つの照準マークと、一つの照準オブジェクトが示され、照準マークはターゲットオブジェクトに重ならない。図５に示すように、図５に示される照準マークは照準オブジェクトに重なるので、照準マークのスタイルを変更し、４つの線分からなる照準マークは４つの線分と一つの原点とを組み合わせてなる照準マークに変更される。
【００９４】
任意選択で、本実施例で、照準マークのスタイルを変更することは、照準マークの色や、形状、サイズを変更し得るが、それに限定されず、本実施例では、それを具体的に限定しない。
【００９５】
任意選択で、端末のセンサにより端末の位置が第１の位置から第２の位置に変化したことを検出する前に、さらにロック命令を受信することを含み、ロック命令は端末の現在の位置に表示される視野角をロックするために用いられる。例えば、当該ロック命令を受信すると、端末の現在の位置に表示される視野角をロックする。この場合、端末の位置が変更された後、端末の現在の位置に表示される視野角は変化しない。例えば、上記の視野角調整方法がゲーム分野に適用されることを例にとって、ユーザーが手で端末を持ってゲームを行う過程で、長時間のゲーム、又は他の原因の影響によって、現在の姿勢又は位置を変更する必要がある。しかし、ユーザーは、現在の端末の位置変化がゲームアプリケーションの視野角に影響を与えることを望まない。従って、端末がロック命令を受信すると、ユーザーがゲームアプリケーションとは無関係の移動をしている可能性があることを意味し、この場合、端末上のセンサは端末の位置変化を検出しない。再びロックを解除する命令を受信すると、端末上のセンサはロックを解除する命令時刻から、端末の位置変化を検出し続ける。
【００９６】
任意選択で、本実施例では、第１の位置、第２の位置及び第１の視野角に基づいて第２の視野角を決定することは、第１の位置から第２の位置への第１の変化量を取得することと、第１の変化量に基づいて第２の変化量を取得することと、第１の視野角が第２の変化量に従って第２の視野角に変化するように制御することとを含むことができる。
【００９７】
なお、本実施例では、上記の第１の変化量は、端末位置の変化方向、変化速度、変化距離を含み得るが、それに限定されない。
【００９８】
さらに、上記の第１の変化量が変化方向を含む場合に、端末は第１の位置、第２の位置及び第１の視野角に基づいて第２の視野角を決定するプロセスで、さらに、第１の位置に対する第２の位置の移動方向に応じて、第１の視野角に対する第２の視野角の移動方向を決定することを含むことができる。
【００９９】
例えば、図６に示す位置６０２は端末の第１の位置であり、位置６０４は端末の第２の位置である。端末が位置６０２から位置６０４に移動すると仮定すると、位置６０４は位置６０２よりも右上方向に位置する。図７は、端末で位置６０２に表示される第１の視野角での第１の画面であり。図８は、端末で位置６０４に表示される第２の視野角での第２の画面である。つまり、端末位置が右上方向に移動された後、端末で表示される視野角は第１の視野角から第２の視野角に調整され、対応して表示される仮想シーンにおける画面は図７に示す第１の画面から図８に示す第２の画面に調整される。
【０１００】
また、上記の第１の変化量が変化速度を含む場合に、第１の位置、第２の位置及び第１の視野角に基づいて第２の視野角を決定するプロセスで、さらに、第１の位置から第２の位置への端末の変化速度に基づいて、第１の視野角から第２の視野角に変化する変化速度を決定することを含むことができる。
【０１０１】
例えば、端末上のセンサは、端末の位置が第１の位置から第２の位置に変化したことを検出すると、第１の位置から第２の位置への端末の変化速度を取得し、取得した変化速度に応じて、端末の第１の視野角から第２の視野角に変化するように制御する。第１の位置から第２の位置への端末の変化速度が早いと、端末の第１の視野角から第２の視野角に変化する速度が早く、第１の位置から第２の位置への端末の変化速度が遅いと、端末の第１の視野角から第２の視野角に変化する速度が遅い。
【０１０２】
本出願の実施例によれば、端末のセンサにより端末の位置が第１の位置から第２の位置に変化したことを検出し、なお、端末が第１の位置に位置する場合、端末は第１の視野角で仮想シーンにおける第１の画面を表示し、第１の位置、第２の位置及び第１の視野角に基づいて第２の視野角を決定し、決定した第２の視野角に応じて、仮想シーンにおける第２の画面を表示することにより、端末位置の変化に応じて表示の視野角での仮想シーンにおける画面を調整し、左手と右手でスクリーンスライド操作を実行することで端末の表示視野角を制御して調整する必要がなく、端末視野角調整の操作を簡略化する目的を達成し、関連技術で提供される視野角調整過程に存在する視野角調整の操作の複雑さが比較的に高い技術問題を解決する。
【０１０３】
選択的な案として、装置は、取得ユニットをさらに含む。
【０１０４】
（１）取得ユニットは、端末が第２の位置に位置する場合に、第２の視野角で仮想シーンにおける第２の画面を表示した後に、第２の画面におけるオブジェクト照準マークの表示位置が仮想シーンにおける照準オブジェクトの表示位置に重なる場合に、照準オブジェクトに対して操作を実行する操作命令を取得するように設置される。
【０１０５】
任意選択で、上記の操作命令は、照準オブジェクトと対話操作を行うことであり得るが、それに限定されず、照準オブジェクトの移動、照準オブジェクトへの攻撃、照準オブジェクトの属性のチェック、照準オブジェクトの状態の変更、照準オブジェクトとのコミュニケーション、照準オブジェクトへの進入などを含む。上記は単なる例であり、本実施形態ではそれを限定しない。
【０１０６】
任意選択で、上記した照準オブジェクトに対して実行する操作の操作命令を取得することは、音声入力の方法により操作命令を取得することや、スクリーンタッチの方法により操作命令を取得することであり得るが、それに限定されない。
【０１０７】
例えば、シューティングゲームアプリケーションを例にとって、上記の照準オブジェクトは標的であってもよく、上記の照準マークは照準照星であってもよい。ゲーム画面における照準照星が照準オブジェクトに重なると、ゲーム画面の右側のＡボタン又はＢボタンを押すことで標的への攻撃操作を実行してもよいし、又は、ゲーム画面における照準照星が照準オブジェクトに重なると、音声入力情報を取得することで標的への攻撃操作を実行してもよい。例えば、音声入力情報が「攻撃」であると、音声入力情報に応じて攻撃操作を実行してもよい。
【０１０８】
本実施例で、上記したボタンにより攻撃操作を実行するか音声入力情報を取得することで攻撃操作を実行する方式は、何れも攻撃操作の選択的な例であり、本実施例では、攻撃操作の実行方式を具体的に限定しない。
【０１０９】
なお、ゲームアプリケーションでは、上記の照準オブジェクトは敵オブジェクトだけでなく、チームメートであってもよく、上記の照準マークがチームメートに重なると、右側のＡボタン又はＢボタンを押すことでチームメートと対話してもよく、例えば、インスタント通信情報を交換する。また、ショッピングアプリケーションでは、上記の照準オブジェクトは仮想商品であってもよく、上記の照準マークは選択ボックスであってもよく、選択ボックスが仮想商品に重なると、右側のＡボタン又はＢボタンを押すことで仮想商品の選択、購入などの操作を行ってもよい。
【０１１０】
本実施例では、上記の照準オブジェクトは、仮想シーンにおいてインタラクティブを実現する必要がある任意のオブジェクトであってもよく、上記は選択的な例であり、本実施例では、照準オブジェクトを具体的に限定しない。
【０１１１】
本出願の実施例によれば、第２の画面におけるオブジェクト照準マークの表示位置が仮想シーンにおける照準オブジェクトの表示位置に重なる場合に、照準オブジェクトに対して操作を実行する操作命令を取得することにより、取得した操作命令に従って照準オブジェクトに対して操作を実行し、視野角調整プロセスにおいて照準オブジェクトに対して操作を実行する操作ステップを簡略化し、手作業で繰り返し調整する必要がなく、視野角調整プロセスにおいてオブジェクトに対して操作を実行する操作効率を向上させる効果を実現する。
【０１１２】
選択的な案として、検出ユニット１３０２は、第１の取得モジュールと、第１の制御モジュールとを含む。
【０１１３】
（１）第１の取得モジュールは、端末上の制御領域に対して制御操作を実行することで生成された制御命令であって、仮想シーンにおけるターゲットオブジェクトが動作を実行するように制御するための制御命令を取得するように設置される。
【０１１４】
（２）第１の制御モジュールは、制御命令に応答し、ターゲットオブジェクトが移動動作を実行するように制御する及び／又は、ターゲットオブジェクトが表示の照準オブジェクトに対して動作を実行するように制御するように設置される。
【０１１５】
例えば、レーシングゲームアプリケーションを例にとって、上記のターゲットオブジェクトはゲームキャラクターオブジェクトであってもよく、上記の制御命令は移動命令であってもよく、タッチパネルにより「前へ走る」という移動命令を取得した後、上記の「前へ走る」という移動命令に応答して、ゲームキャラクターオブジェクトが前へ走るように制御することができる。
【０１１６】
任意選択で、上記のターゲットオブジェクトは端末アプリケーションにおいて制御される任意のオブジェクトであってもよく、例えば、仮想キャラクター又は仮想物品を含み、上記の制御命令は、ターゲットオブジェクトが移動、攻撃、選択、設備交換、救助、拾い上げ、破棄などをするように制御するために用いられるが、それに限定されない。例えば、上記のターゲットオブジェクトは仮想キャラクターであり、上記の制御命令は前へ移動することであり、仮想キャラクターが前へ移動するように制御する。さらに、仮想キャラクターは、人物、動物などであってもよく、ここで具体的に限定しない。
【０１１７】
本出願の実施例によれば、端末のセンサにより端末の位置が第１の位置から第２の位置に変化したことを検出するプロセスにおいて、端末上の制御領域に対して制御操作を実行することで生成された制御命令を取得し、制御命令に応答して、ターゲットオブジェクトが動作を実行するように制御し、視野角調整プロセスにおいてターゲットオブジェクトを制御して動作を実行させるステップを簡略化し、ターゲットオブジェクトの制御効率を向上させる。
【０１１８】
選択的な案として、決定ユニット１３０４は、第２の取得モジュールと、第３の取得モジュールと、第２の制御モジュールとを含む。
【０１１９】
（１）第２の取得モジュールは、第１の位置から第２の位置への第１の変化量を取得するように設置される。
【０１２０】
（２）第３の取得モジュールは、第１の変化量に基づいて第２の変化量を取得するように設置される。
【０１２１】
（３）第２の制御モジュールは、第１の視野角が第２の変化量に従って第２の視野角に変化するように設置される。
【０１２２】
任意選択で、上記の第１の変化量は、変化方向、変化速度、変化距離等を含むが、それに限定されない。
【０１２３】
例えば、図１０に示すように、端末の初期位置を原点として３次元座標系を確立し、なお、端末平面が位置する平面が３次元座標系のＸ軸及びＹ軸であり、
端末平面に垂直で、スクリーンの外側を向く方向は、３次元座標系のＺ軸である。端末が第１の位置１００２から第２の位置１００４に変化すると、それに応じて、３次元座標系において、位置は原点ＯからＡ点に移動する。端末が変化した変化方向、変化速度、変化距離を取得し、取得した変化方向、変化速度、変化距離に応じて第１の視野角から第２の視野角への変化方向、変化速度、変化距離を得る。第１の視野角から第２の視野角への変化方向、変化速度、変化距離に応じて、端末を制御して第１の視野角から第２の視野角に変化させる。
【０１２４】
本出願の実施例によれば、第１の位置から第２の位置への端末の第１の変化量に基づいて第２の変化量を得て、第２の変化量に応じて、端末を制御して第１の視野角から第２の視野角に変化させることにより、端末の位置変化に応じて表示の視野角での仮想シーンにおける画面を調整する目的を実現する。
【０１２５】
選択的な案として、第３の取得モジュールは、第１の取得サブモジュールと、第１の決定サブモジュールとを含む。
【０１２６】
（１）第１の取得サブモジュールは、視野角調整感度を取得するように設置される。
【０１２７】
（２）第１の決定サブモジュールは、第１の変化量、及び視野角調整感度に基づいて第２の変化量を決定するように設置される。
【０１２８】
任意選択で、感度を受信し、受信した感度に応じて視野角調整感度を設置し得るがそれに限定されない。任意選択で、上記の感度は、ユーザーによって入力されるか、システムによって自動的に生成されてもよく、本実施例では、それを限定しない。
【０１２９】
例えば、受信した感度をベクトルａとすると、第１の変化量はベクトルｂであり、ベクトルａにベクトルｂを乗算することで第２の変化量を取得してもよい。
【０１３０】
任意選択で、上記した第１の変化量に感度を乗算することで第２の変化量を取得する方式は単なる例であり、具体的な算出方法については、本実施例では限定しない。
【０１３１】
本出願の実施例によれば、視野角調整感度を取得し、視野角調整感度と第１の変化量とに基づいて第２の変化量を決定することにより、視野角を調整するプロセスにおいて視野角調整感度に応じて視野角を調整し、視野角を調整する自由度を向上させ、端末の視野角を柔軟に調整する目的を達成する。
【０１３２】
選択的な案として、上記の第１の取得サブモジュールは、以下のステップにより視野角調整感度を取得する。
【０１３３】
Ｓ１において、端末上の領域に対して押圧操作を実行することで生成された押圧命令を検出する。
【０１３４】
Ｓ２において、押圧命令が検出された場合に、視野角調整感度を第１の感度として決定する。
【０１３５】
Ｓ３において、押圧命令が検出されなかった場合に、視野角調整感度を第２の感度として決定する。
【０１３６】
なお、第１の感度は第２の感度よりも小さい。
【０１３７】
任意選択で、上記の押圧操作の実行領域は非制御領域であってもよい。なお、当該非制御領域は上記の制御ボタン以外の領域であってもよいが、それに限定されない。
【０１３８】
例えば、ゲームアプリケーションを例にとって、図１１に選択的なゲームシーンを示している。なお、オブジェクト照準マークはスクリーンの中央位置にある。図１１に示すＡボタンは制御領域である。制御領域の押圧が検出されると、ゲームにおける人物を制御してシューティングさせる。なお、端末上のＡボタン以外の領域に対する押圧命令が検出されると、視野角調整感度を第１の感度として設置し、端末上のＡボタン以外の領域に対する押圧命令が検出されないと、視野角調整感度を第２の感度として決定し、第１の感度は第２の感度よりも小さい。
【０１３９】
本出願の実施例によれば、端末上の領域に対して押圧操作を実行することで生成された押圧命令が検出されたかどうかを判断し、視野角調整感度を決定し、視野角調整感度に基づいて第２の変化量を決定することにより、視野角を調整するプロセスにおいて異なる調整感度に応じて視野角を調整し、視野角を調整する調整方式を増加させ、視野角を調整する正確性を向上させる。
【０１４０】
選択的な案として、上記の第１の取得サブモジュールは、以下のステップにより視野角調整感度を取得する。
【０１４１】
Ｓ１において、上記の端末の表示モードを取得する。
【０１４２】
Ｓ２において、上記の表示モードがパノラマモードである場合に、上記の視野角調整感度を第３の感度として決定する。
【０１４３】
Ｓ３において、上記の表示モードがローカルモードである場合に、上記の視野角調整感度を第４の感度として決定し、なお、第３の感度は第４の感度と異なる。
【０１４４】
例えば、シューティングゲームアプリケーションを例にとって、図１２にシューティングゲームシーンを示している。図１２に示すように、左側Ｂボタンはゲームキャラクターの移動を制御するために用いられ、右側Ａボタンはゲームキャラクターの攻撃を制御するために用いられる。右側Ａボタンの下のＣボタンは端末の表示モードを切り替えるために用いられる。Ｃボタンを押すと、端末上の表示モードはパノラマモードからローカルモードに切り替えられ、この場合、Ｃボタンの外観の色が変わり、図１２にハッチングで示す。再びＣボタンを押すと、端末上のローカルモードを解除し、図１１に示すオブジェクト照準マークに戻る。Ｃボタンの色はパノラマモードの色に戻る。なお、Ｃボタンを押すローカルモードと、ローカルモードを解除するパノラマモードとは、異なる視野角調整感度に対応する。
【０１４５】
なお、上記のパノラマモードは、シューティングゲームにおける通常の照準であり得るがそれに限定されず、上記のローカルモードは、シューティングゲームにおけるオープニング照準であり得るがそれに限定されず、なお、ローカルモードにおいて、照準マークに重なる部分の照準オブジェクトは拡大表示される。上記は単なる例であり、本実施例では、それを限定しない。
【０１４６】
本出願の実施例によれば、端末の表示モードに応じて、異なる視野角調整感度を設置し、異なる視野角調整感度に基づいて第２の変化量を決定し、さらに、第２の変化量によって端末の角度を調整することにより、視野角を調整するプロセスにおいて異なる調整感度に応じて視野角を調整し、視野角を調整する調整方式を増加させ、視野角を調整する正確性を向上させる。
【０１４７】
選択的な案として、第２の制御モジュールは、第３の取得サブモジュールと、制御サブモジュールとを含む。
【０１４８】
（１）第３の取得サブモジュールは、第１の変化量と視野角調整感度との積を取得するように設置される。
【０１４９】
（２）制御サブモジュールは、積の大きさが所定の閾値よりも大きい場合に、第１の視野角が第２の変化量に従って第２の視野角に変化するように制御するように設置される。
【０１５０】
例えば、第１の変化量における距離変化量αを取得し、λは視野角調整感度である。図９に示すように、第１の変化量における距離変化量αを取得した後、第１の変化量における距離変化量αをＸＹ軸に投影し、取得されたベクトル投影はＯＡであり、ＯＡとλとの積が所定の閾値よりも大きいと、上記の実施例における方法によって、クライアントの表示インターフェースを調整する。ＯＡとλとの積は、以下の式により得ることができる。
【数２】
2021511585.tif 000004
【０１５１】
本出願の実施例によれば、端末移動ベクトルと移動感度との積が所定の閾値よりも大きいかどうかを判断する方法により、端末の位置変化が微小なディザによる位置変化であるかどうかを判断することにより、端末の微小なディザが端末視野角に与える影響を回避し、端末視野角の調整正確性を向上させる。
【０１５２】
本出願の実施例のさらなる局面によれば、さらに、記憶媒体を提供し、当該記憶媒体には、上記の実施例における視野角調整方法を実行するための実行命令が記憶されている。
【０１５３】
任意選択で、本実施例では、記憶媒体は以下のステップを実行するためのコンピュータープログラムを記憶するように設置される。
【０１５４】
Ｓ１において、端末は、端末のセンサにより端末の位置が第１の位置から第２の位置に変化したことを検出し、なお、端末が第１の位置に位置する場合、端末は、第１の視野角で仮想シーンにおける第１の画面を表示し、第１の画面にオブジェクト照準マークが表示される。
【０１５５】
Ｓ２において、端末は、第１の位置、第２の位置及び第１の視野角に基づいて第２の視野角を決定し、なお、第１の視野角から第２の視野角への第１の変化量は、第１の位置から第２の位置への第２の変化量に対応する。
【０１５６】
Ｓ３において、端末が第２の位置に位置する場合に、端末は、第２の視野角で仮想シーンにおける第２の画面を表示し、なお、第２の画面にもオブジェクト照準マークが表示される。
【０１５７】
任意選択で、本実施例では、記憶媒体は以下のステップを実行するためのコンピュータープログラムを記憶するように設置される。
【０１５８】
Ｓ１において、第２の画面におけるオブジェクト照準マークの表示位置が仮想シーンにおける照準オブジェクトの表示位置に重なる場合に、端末は、照準オブジェクトに対して操作を実行する操作命令を取得する。
【０１５９】
任意選択で、本実施例では、記憶媒体は以下のステップを実行するためのコンピュータープログラムを記憶するように設置される。
【０１６０】
Ｓ１において、端末は、端末上の制御領域に対して制御操作を実行することで生成された、仮想シーンにおけるターゲットオブジェクトを制御して動作を実行させるための制御命令を取得する。
【０１６１】
Ｓ２において、端末は、制御命令に応答して、ターゲットオブジェクトが移動動作を実行するように制御する及び／又は、ターゲットオブジェクトが表示の照準オブジェクトに対して動作を実行するように制御する。
【０１６２】
任意選択で、本実施例では、記憶媒体は以下のステップを実行するためのコンピュータープログラムを記憶するように設置される。
【０１６３】
Ｓ１において、端末は、第１の位置から第２の位置への第１の変化量を取得する。
【０１６４】
Ｓ２において、端末は、第１の変化量に基づいて第２の変化量を取得する。
【０１６５】
Ｓ３において、端末は、第１の視野角が第２の変化量に従って第２の視野角に変化するように制御する。
【０１６６】
任意選択で、本実施例では、記憶媒体は以下のステップを実行するためのコンピュータープログラムを記憶するように設置される。
【０１６７】
Ｓ１において、端末は、視野角調整感度を取得する。
【０１６８】
Ｓ２において、端末は、第１の変化量、及び視野角調整感度に基づいて第２の変化量を決定する。
【０１６９】
任意選択で、本実施例では、記憶媒体は以下のステップを実行するためのコンピュータープログラムを記憶するように設置される。
【０１７０】
Ｓ１において、端末は、端末上の領域に対して押圧操作を実行することで生成された押圧命令を検出する。
【０１７１】
Ｓ２において、押圧命令が検出された場合に、端末は、視野角調整感度を第１の感度として決定する。
【０１７２】
Ｓ３において、押圧命令が検出されなかった場合に、端末は、視野角調整感度を第２の感度として決定する。
【０１７３】
任意選択で、本実施例では、記憶媒体は、以下のステップを実行するためのコンピュータープログラムを記憶するように設置される。
【０１７４】
Ｓ１において、端末は、端末の表示モードを取得する。
【０１７５】
Ｓ２において、表示モードがパノラマモードである場合に、端末は視野角調整感度を第３の感度として決定する。
【０１７６】
Ｓ３において、表示モードがローカルモードである場合に、端末は視野角調整感度を第４の感度として決定する。
【０１７７】
任意選択で、本実施例では、記憶媒体は、以下のステップを実行するためのコンピュータープログラムを記憶するように設置される。
【０１７８】
Ｓ１において、端末は、第１の変化量と視野角調整感度との積を取得する。
【０１７９】
Ｓ２において、積の大きさが所定の閾値よりも大きい場合に、端末は、第１の視野角が第２の変化量に従って第２の視野角に変化するように制御する。
【０１８０】
任意選択で、本実施例における具体的な例は、上記の実施例１及び実施例２で説明される例を参照し、本実施例では、繰り返して記述しない。
【０１８１】
本出願の実施例のさらなる一局面によれば、さらに、上記の視野角調整方法を実施する電子機器を提供し、図１４に示すように、当該電子機器は、メモリと、プロセッサーとを含み、当該メモリにコンピュータープログラムが記憶され、当該プロセッサーは、コンピュータープログラムにより上記のいずれかの方法実施例におけるステップを実行するように設置される。
【０１８２】
任意選択で、本実施例では、上記の電子機器は、コンピューターネットワークの複数のネットワーク装置の少なくとも一つのネットワーク装置に位置してもよい。
【０１８３】
任意選択で、本実施例では、上記のプロセッサーは、コンピュータープログラムにより以下のステップを実行するように設置される。
【０１８４】
Ｓ１において、端末は、端末のセンサにより端末の位置が第１の位置から第２の位置に変化したことを検出し、なお、端末が第１の位置に位置する場合、端末は、第１の視野角で仮想シーンにおける第１の画面を表示し、第１の画面にオブジェクト照準マークが表示される。
【０１８５】
Ｓ２において、端末は、第１の位置、第２の位置及び第１の視野角に基づいて第２の視野角を決定し、なお、第１の視野角から第２の視野角への第１の変化量は、第１の位置から第２の位置への第２の変化量に対応する。
【０１８６】
Ｓ３において、端末が第２の位置に位置する場合に、端末は、第２の視野角で仮想シーンにおける第２の画面を表示し、なお、第２の画面にもオブジェクト照準マークが表示される。
【０１８７】
なお、メモリ１４０８は、ソフトウェアプログラム及びモジュールを記憶し、例えば本出願の実施例における視野角調整方法と装置に対応するプログラム命令/モジュールを記憶し、プロセッサー１４０６は、メモリ１４０８に記憶されたソフトウェアプログラム及びモジュールを実行することで、各種の機能アプリケーション及びデータ処理を実行し、上述した視野角調整方法を実現する。メモリ１４０８は、高速ランダムメモリを含むことができ、例えば一つ又は複数の磁気記憶装置、フラッシュメモリ等の不揮発性メモリ、又は他の不揮発性固体メモリを含むこともできる。一部の実例において、メモリ１４０８はさらに、プロセッサー１４０６に対して遠隔設置されたメモリを含み、このような遠隔メモリはネットワークを介して端末に接続される。上記ネットワークの実例として、インターネット、イントラネット、ローカルネットワーク、モバイル通信ネットワーク及びその組み合せを含むが、これらに限定されない。
【０１８８】
上述した伝送装置１４０４は、ネットワークを介してデータを送受信するために用いられる。上述したネットワークの具体的な実例として、有線ネットワークと無線ネットワークとを含む。一実施例において、伝送装置１４０４は、ネットワークアダプタ（Ｎｅｔｗｏｒｋ  Ｉｎｔｅｒｆａｃｅ  Ｃｏｎｔｒｏｌｌｅｒ、ＮＩＣ）を含み、それはネットワークケーブルを介して他のネットワーク機器とルーターに接続されてインターネット又はローカルネットワークとの通信を行う。一実施例において、伝送装置１４０４は、無線周波数（Ｒａｄｉｏ  Ｆｒｅｑｕｅｎｃｙ、ＲＦ）モジュールであって、無線方式でインターネットとの通信を行う。
【０１８９】
なお、メモリ１４０８は、位置情報、画面情報などを記憶するために用いられる。
【０１９０】
図１４に示す構造は例示的なものに過ぎず、電子機器はスマートフォン（例えば、Ａｎｄｒｏｉｄ携帯電話、ｉＯＳ携帯電話等）、タブレットＰＣ、ポケットＰＣ及びモバイルインターネット機器（Ｍｏｂｉｌｅ  Ｉｎｔｅｒｎｅｔ  Ｄｅｖｉｃｅｓ、ＭＩＤ）、ＰＡＤ等の端末機器であってもよい。図１４は、上記電子装置の構造を限定するものではない。例えば、電子機器は図１４に示す部品よりも多い又は少ない部品（例えば、ネットワークインタフェース、表示装置等）を含むこともでき、又は図１４と異なる配置を有することもできる。
【０１９１】
本出願の上記実施例において、各実施例の説明は重要視するものがあって、ある実施例で詳しく説明していない部分については他の実施例の関連部分の説明を参照することができる。
【０１９２】
本願で提供する幾つかの実施例において、開示されたクライアントは、他の形態で実現することもできる。ここで、以上説明した装置実施例は例示的なもので、例えば上述したユニットの区画はロジック的な機能の区画であって、実際に実現する場合、他の区画方式であてもよく、例えば複数のユニット又は部品を結合したり又は他のシステムに集積したり、又は一部の特徴を無視したり、又は実行しないこともできる。そして、表示又は検討した相互結合又は直接結合又は通信接続は、インターフェース、ユニット又はモジュールを介した間接的な結合又は通信接続であってもよく、電気的又は他の形態であってもよい。
【０１９３】
上述した分離部品として説明したユニットは、物理的に分離したものであっても物理的に分離していないものであってもよく、ユニットとして表す部品は物理ユニットであっても物理ユニットでなくてもよく、つまり、一つの箇所に位置してもよく、複数のユニットに分布されてもよい。実際の需要に応じて、その中の一部又は全部のユニットを選択して本実施例の技術案の目的を実現することができる。
【０１９４】
そして、本出願の各実施例中の各機能ユニットを一つの処理ユニットに集積してもよく、各ユニットが物理的に独立したものであってもよく、二つ又はその以上のユニットを一つのユニットに集積してもよい。上記集積されたユニットをハードウェアの形態で実現しても、ソフトウェア機能ユニットの形態で実現してもよい。
【０１９５】
以上は、本出願の選択的な実施形態に過ぎず、当業者は本出願の原理を離脱せずに若干の改善や修正を行うことができ、このような改善や修正は本出願の保護範囲に含まれる。
【０１９６】
本実施例は、端末のセンサにより端末の位置が第１の位置から第２の位置に変化したことを検出し、端末が第１の位置に位置する場合、端末は第１の視野角で仮想シーンにおける第１の画面を表示し、端末は第１の位置、第２の位置及び第１の視野角に基づいて第２の視野角を決定し、第２の視野角で仮想シーンにおける第２の画面を表示し、これにより、端末は、端末位置の変化に応じて、表示の視野角での仮想シーンにおける画面を調整し、左手と右手でスクリーンスライド操作を実行することで端末の表示視野角を制御し調整する必要がないので、端末視野角調整の操作を簡略化する目的を達成する。
【図１】
2021511585.tif 000005
【図２】
2021511585.tif 000006
【図３】
2021511585.tif 000007
【図４】
2021511585.tif 000008
【図５】
2021511585.tif 000009
【図６】
2021511585.tif 000010
【図７】
2021511585.tif 000011
【図８】
2021511585.tif 000012
【図９】
2021511585.tif 000013
【図１０】
2021511585.tif 000014
【図１１】
2021511585.tif 000015
【図１２】
2021511585.tif 000016
【図１３】
2021511585.tif 000017
【図１４】
2021511585.tif 000018
【国際調査報告】
2021511585.tif 000019
2021511585.tif 000020
2021511585.tif 000021
2021511585.tif 000022